(57)【要約】【課題】簡素な構成により、消費電力の低減を図ることが可能な加熱調理器を提供する。【解決手段】加熱調理器１は、本体部２と、本体部２に収納され、本体部２に対する所定の設定入力を受け付ける操作パネル１１、１３が本体部２の前面に対して閉じている第１の位置と、本体部２の前面に対して開いている第２の位置との間で回動可能に設けられている操作部８、９と、操作パネル１１、１３に対して一体的に設けられた加速度センサ３０４、４０５と、制御部３０１、４０１と、を備え、操作パネル１１、１３は、所定の情報を表示する表示部３２０、４２０を備え、制御部３０１、４０１は、加速度センサ３０４、４０５の出力により地震の発生と操作パネル１１、１３の開閉とを検出し、表示部３２０、４２０が動作している状態で操作パネルが第１の位置に閉じられたことに基づいて、表示部３２０、４２０を停止させる。【選択図】図５
2020085345.tif 000002
【特許請求の範囲】
【請求項１】
本体部と、
前記本体部に収納され、前記本体部に対する所定の設定入力を受け付ける操作パネルが前記本体部の前面に対して閉じている第１の位置と、前記本体部の前面に対して開いている第２の位置との間で回動可能に設けられている操作部と、
前記操作パネルに対して一体的に設けられた加速度センサと、
制御部と、を備え、
前記操作パネルは、所定の情報を表示する表示部を備え、
前記制御部は、
前記加速度センサの出力により地震の発生と前記操作パネルの開閉とを検出し、
前記表示部が動作している状態で前記操作パネルが前記第１の位置に閉じられたことに基づいて、前記表示部を停止させる、
ことを特徴とする加熱調理器。
【請求項２】
請求項１に記載の加熱調理器において、
前記表示部は、光を発する発光器を備え、
前記制御部は、前記発光器が点灯している状態で前記操作パネルが前記第１の位置に閉じられたことに基づいて、前記発光器を消灯させる、
ことを特徴とする加熱調理器。
【請求項３】
請求項１または２に記載の加熱調理器において、
前記表示部は、所定の情報を表示する表示器を備え、
前記制御部は、前記表示器が動作している状態で前記操作パネルが前記第１の位置に閉じられたことに基づいて、前記表示器を停止させる、
ことを特徴とする加熱調理器。
【請求項４】
請求項３に記載の加熱調理器において、
前記制御部は、前記地震の発生の検出に基づいて、前記本体部の動作を停止させる、
ことを特徴とする加熱調理器。
【請求項５】
請求項１ないし４の何れか一項に記載の加熱調理器において、
前記制御部は、前記加速度センサから出力される信号に基づき取得される前記操作パネルの変位の波形に基づいて、前記地震の発生と前記操作パネルの開閉を区別して検出する、
ことを特徴とする加熱調理器。
【請求項６】
請求項１ないし５の何れか一項に記載の加熱調理器において、
前記加熱調理器は、ガス燃料を用いて燃焼動作を実行するとともに電池を電源として前記燃焼動作を制御するガスコンロである、
ことを特徴とする加熱調理器。
【発明の詳細な説明】
【技術分野】
【０００１】
本発明は、加熱調理器に関する。
【背景技術】
【０００２】
従来、いわゆるカンガルーポケット型の操作部を採用している加熱調理器が知られている。たとえば、以下の特許文献１には、操作部に、加熱条件を選択するための複数のスイッチ部が配置され、それぞれのスイッチ部に、ユーザが指で押し込むことができる表示部が設けられている。複数のスイッチ部のうち、一部のスイッチ部には、表示部の角部に三角形状の発光表示部が形成されている。この発光表示部は、スイッチ部の強調表示部であり、発光表示部が発光することで、そのスイッチ部を用いて加熱条件が選択されていることが表示される。
【先行技術文献】
【特許文献】
【０００３】
【特許文献１】特開２０１７−０４４４１５号公報
【発明の概要】
【発明が解決しようとする課題】
【０００４】
特許文献１では、発光表示部の発光により、スイッチ部が強調表示される。これにより、スイッチ部の操作状態が容易に把握され得る。しかし、スイッチ部が点灯している状態で、ユーザが操作部を閉じることが起こり得る。この場合、操作部が閉じられた後も発光表示部が点灯され続けると、無駄な電力が消費されてしまう。
【０００５】
かかる課題に鑑み、本発明は、簡素な構成により、消費電力の低減を図ることが可能な加熱調理器を提供することを目的とする。
【課題を解決するための手段】
【０００６】
本発明の第１の態様に係る加熱調理器は、本体部と、前記本体部に収納され、前記本体部に対する所定の設定入力を受け付ける操作パネルが前記本体部の前面に対して閉じている第１の位置と、前記本体部の前面に対して開いている第２の位置との間で回動可能に設けられている操作部と、前記操作パネルに対して一体的に設けられた加速度センサと、制御部と、を備える。ここで、前記操作パネルは、所定の情報を表示する表示部を備える。前記制御部は、前記加速度センサの出力により地震の発生と前記操作パネルの開閉とを検出し、前記表示部が動作している状態で前記操作パネルが前記第１の位置に閉じられたことに基づいて、前記表示部を停止させる。
【０００７】
上記の構成によれば、表示部が動作している状態で操作パネルが閉じられると、表示部が停止されるため、表示部による無駄な電力消費が抑制される。よって、消費電力を低減させることができる。また、加速度センサが地震発生の検出に共用されるため、部品点数の削減と構成の簡素化を図ることができる。
【０００８】
本態様に係る加熱調理器において、前記表示部は、光を発する発光器を備え、前記制御部は、前記発光器が点灯している状態で前記操作パネルが前記第１の位置に閉じられたことに基づいて、前記発光器を消灯させるよう構成され得る。
【０００９】
この構成によれば、電力消費が大きい発光器が操作パネルの閉塞に応じて消灯されるため、無駄な電力消費をより効果的に抑制できる。よって、消費電力をより効果的に低減させることができる。
【００１０】
本態様に係る加熱調理器において、前記表示部は、所定の情報を表示する表示器を備え、前記制御部は、前記表示器が動作している状態で前記操作パネルが前記第１の位置に閉じられたことに基づいて、前記表示器を停止させるよう構成され得る。
【００１１】
この構成によれば、表示器が操作パネルの閉塞に応じて停止されるため、無駄な電力消費を効果的に抑制できる。よって、消費電力を効果的に低減させることができる。
【００１２】
本態様に係る加熱調理器において、前記制御部は、前記地震の発生の検出に基づいて、前記本体部の動作を停止させるよう構成され得る。
【００１３】
この構成によれば、地震発生時に加熱等の動作が停止されるため、加熱調理器の安全性を確保できる。
【００１４】
本態様に係る加熱調理器において、前記制御部は、前記加速度センサから出力される信号に基づき取得される前記操作パネルの変位の波形に基づいて、前記地震の発生と前記操作パネルの開閉を区別して検出するよう構成され得る。
【００１５】
この構成によれば、簡易な処理により、地震の発生と操作パネルの開閉を区別することができる。
【００１６】
本態様に係る加熱調理器において、前記加熱調理器は、ガス燃料を用いて燃焼動作を実行するとともに電池を電源として前記燃焼動作を制御するガスコンロとされ得る。
【００１７】
この構成によれば、ガスコンロの安全性を維持しつつ電池の消耗を抑制できる。
【発明の効果】
【００１８】
かかる課題に鑑み、本発明は、簡素な構成により、消費電力の低減を図ることが可能な加熱調理器を提供することを目的とする。
【００１９】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２０】
【図１】図１は、実施形態に係るガスコンロの構成を示す斜視図である。
【図２】図２（ａ）は、実施形態に係るガスコンロのコンロ部側の操作パネルの構成を模式的に示す図である。図２（ｂ）は、実施形態に係るガスコンロのグリル部側の操作パネルの構成を模式的に示す図である。
【図３】図３は、実施形態に係るガスコンロの燃焼系の構成を示す図である。
【図４】図４は、実施形態に係るガスコンロの本体部側の回路ブロック図である。
【図５】図５は、実施形態に係るガスコンロの操作部側の回路ブロック図である。
【図６】図６（ａ）は、実施形態に係る、操作パネルが閉じられる場合に、加速度センサの検出信号から取得される角度の変化を示すグラフである。図６（ｂ）は、実施形態に係る、操作パネルが閉じられた際に行われる処理を示すフローチャートである。
【図７】図７（ａ）は、実施形態に係る、地震が発生した場合に、加速度センサの検出信号から取得される角度の変化を示すグラフである。図７（ｂ）は、図７（ａ）におけるガスコンロの制御を示すフローチャートである。
【図８】図８（ａ）は、変更例に係る、操作パネルが開放される場合に、加速度センサの検出信号から取得される角度の変化を示すグラフである。図８（ｂ）は、変更例に係る、操作パネルが開放された際に行われる処理を示すフローチャートである。
【発明を実施するための形態】
【００２１】
以下、本発明の燃焼装置の一実施形態であるガスコンロ１について図面を参照して説明する。
【００２２】
図１は、本実施の形態に係る、ガスコンロ１の構成を示す斜視図である。また、図１において、ＸＹＺ軸は互いに直交しており、Ｘ軸正方向は右方向に対応し、Ｙ軸正方向は前方向に対応し、Ｚ軸正方向は鉛直方向に対応する。
【００２３】
図１に示すように、ガスコンロ１は、本体部２と、本体部２の上部に設置された天板３とを備える。天板３には、３つのコンロ部４ａ、４ｂ、４ｃが配置されている。コンロ部４ａ、４ｂ、４ｃは、それぞれ、ガスを燃料として燃焼するガスバーナと、鍋等を設置するためのごとくを備える。また、天板３の後部には、左右に並ぶように２つの排気口５が設けられる。
【００２４】
本体部２の内部には、中央部にグリル部６が設けられる。グリル部６には、上下にグリルバーナ（図示せず）が設けられ、グリルバーナの燃焼によりグリル調理が行われる。グリル部６から排気口５を通じて排気が行われる。
【００２５】
本体部２の正面には、中央部にグリル扉７が設けられる。グリル扉７の裏側にグリル皿（図示せず）が一体的に設けられ、グリル扉７を前方に移動させることで、グリル皿をグリル部６から外部へ引き出すことができる。また、本体部２の正面には、グリル扉７の右側および左側に、それぞれ、コンロ部４ａ、４ｂ、４ｃ用の操作部８と、グリル部６用の操作部９とが設けられている。
【００２６】
操作部８は、３つのコンロ部４ａ、４ｂ、４ｃに対応する３つの点火ボタン１０ａ、１０ｂ、１０ｃと、カンガルーポケット型の操作パネル１１と、を含む。点火ボタン１０ａ、１０ｂ、１０ｃは、それぞれに対応するコンロ部４ａ、４ｂ、４ｃに点火するとき、および、点火しているコンロ部４ａ、４ｂ、４ｃを消火するときに操作される。また、点火ボタン１０ａ、１０ｂ、１０ｃを回転させることにより、コンロ部４ａ、４ｂ、４ｃのガスバーナに供給されるガスの流量が調節される。
【００２７】
操作部９は、点火ボタン１２と、カンガルーポケット型の操作パネル１３と、を含む。点火ボタン１２は、グリル部６のグリルバーナに点火するとき、および、点火しているグリルバーナを消火するときに操作される。また、点火ボタン１２を回転させることにより、グリル部６のグリルバーナに供給されるガスの流量が調節される。
【００２８】
図２（ａ）は、操作パネル１１の上面の構成を模式的に示す図であり、図２（ｂ）は、操作パネル１３の上面の構成を模式的に示す図である。
【００２９】
図２（ａ）に示すように、操作パネル１１の上面には、コンロ部４ａ、４ｂ、４ｃに関する所定の設定を入力するための操作キー群１１ａと、当該操作キー群に対する操作に応じた情報や、コンロ部４ａ、４ｂ、４ｃの点火／消灯状態等を表示するためのディスプレイ１１ｂが設けられる。ディスプレイ１１ｂは、光源に白色ＬＥＤを用いた７セグ表示器を備える。７セグ表示器により、たとえば、コンロ部４ａ、４ｂ、４ｃに設定されたタイマー時間や、エラーコード等が表示される。この他、操作パネル１１には、ガスコンロ１の電源である電池の交換を促すためのランプ１１ｃが設けられている。
【００３０】
また、操作パネル１１の操作キー群１１ａのそれぞれのキーには、点灯部１１ｄが設けられる。点灯部１１ｄは、１つのキーの領域内の角部に設けられる。ユーザが操作キー群１１ａから目的のキーを選択し、選択したキーを押下すると、点灯部１１ｄが点灯する。これにより、ユーザは、自身が選択したキーがどのキーであるかを確認することができる。
【００３１】
図２（ｂ）に示すように、操作パネル１３の上面には、グリル部６に関する所定の設定を入力するための操作キー群１３ａと、当該操作キー群に対する操作に応じた情報や、グリル部６の点火／消灯状態等を表示するためのディスプレイ１３ｂが設けられる。ディスプレイ１３ｂは、光源に白色ＬＥＤ（Light Emitting Diode）を用いた７セグ表示器を備える。７セグ表示器により、たとえば、グリル部６に設定されたタイマー時間や、エラーコード等が表示される。また、操作パネル１３は、液晶ディスプレイ１３ｃを備える。液晶ディスプレイ１３ｃは、液晶表示器を備える。液晶表示器により、たとえば、グリル部６の調理工程の進捗状況等を表示させることができる。
【００３２】
また、操作パネル１１と同様に、操作パネル１３の操作キー群１３ａのそれぞれのキーにも点灯部１３ｄが、それぞれのキーの領域内の角部に設けられる。ユーザが操作キー群１３ａから目的のキーを選択し、選択したキーを押下すると、点灯部１３ｄが点灯する。
【００３３】
図１に戻り、操作パネル１１、１３は、下端を軸として前後に回動可能となっている。操作パネル１１、１３は、図１に示した状態において、上面の操作キー群および表示部が外部に開放され、これら操作キー群に対する操作入力を受け付けることができる。
【００３４】
図１に示した状態から操作パネル１１、１３が後方に押し込まれると、操作パネル１１、１３は、前面が本体部２の前面と面一となる状態にロックされる。ここで、操作パネル１１、１３が後方に押し込まれたときの状態を「第１の状態」と称し、図１に示した操作パネル１１、１３の状態を「第２の状態」と称する。
【００３５】
第１の状態において、操作パネル１１、１３上面の操作キー群１１ａ、１３ａおよびディスプレイ１１ｂ、１３ｂ、液晶ディスプレイ１３ｃは、本体部２内に収納されて外部から遮蔽されるため、操作パネル１１、１３は、これら操作キー群１１ａ、１３ａに対する操作入力を受け付けることができない。操作パネル１１、１３は、第１の状態において前面が押されることによりロックが解除され、バネ等の弾性力によって前方に回動し、図１に示す第２の状態に復帰する。
【００３６】
図１中のαは、鉛直方向（Ｚ軸方向）に対する操作パネル１１、１３の前面の傾き角（Ｘ−Ｚ平面と操作パネル１１、１３の前面とのなす角）である。以降、本明細書では、操作パネル１１、１３の傾き角αを、単に「角α」と称する。また、第１の状態において操作パネル１１、１３が位置付けられる位置を第１の位置と称し、第２の状態において操作パネル１１、１３が位置付けられる位置を第２の位置と称する。
【００３７】
操作パネル１１、１３は、第１の位置からＹＺ面においてα１だけ傾斜すると、第２の位置に位置付けられる。また、操作パネル１１、１３が第１の位置に位置付けられているとき、角αは０（０度）である。よって、操作パネル１１、１３は、角αが０〜α１の間で変化するよう回動する。
【００３８】
本体部２の正面右端には、ガスコンロ１を起動するための電源スイッチ１４が設けられている。
【００３９】
図３は、ガスコンロ１の燃焼系の構成を示す図である。
【００４０】
ガスコンロ１は、燃焼系の構成として、ガスバーナ１０１〜１０３と、グリルバーナ１０４、１０５を備える。
【００４１】
ガスバーナ１０１〜１０３は、それぞれ、コンロ部４ａ〜４ｃに設置される。グリルバーナ１０４、１０５は、グリル部６に設置される。グリルバーナ１０４は下側のバーナであり、グリルバーナ１０５は上側のバーナである。
【００４２】
ガスバーナ１０１〜１０３に着火を行うための点火器１１１〜１１３と、グリルバーナ１０４、１０５に着火を行うための点火器１１４、１１５が設けられている。また、ガスバーナ１０１〜１０３が着火したことを検出するための熱電対１２１〜１２３と、グリルバーナ１０４、１０５が着火したことを検出するための熱電対１２４、１２５が設けられている。
【００４３】
ガスバーナ１０１〜１０３およびグリルバーナ１０４、１０５には、配管１３０〜１３４を介して、燃料ガス（以下、単に「ガス」という）が供給される。配管１３０から、４つの配管１３１〜１３４が分岐し、さらに配管１３４から２つの配管１３４ａ、１３４ｂが分岐している。配管１３１〜１３３が、それぞれ、ガスバーナ１０１〜１０３に接続され、配管１３４ａ、１３４ｂが、それぞれ、グリルバーナ１０４、１０５に接続されている。
【００４４】
配管１３０には、ガスの導通および遮断を制御するための元ガス電磁弁１４０が設けられている。また、配管１３１〜１３４には、それぞれ、ガスの導通および遮断を制御するための安全弁１４１〜１４４が設けられている。さらに、配管１３１〜１３４には、それぞれ、ガスの流量を制御するための流量調節弁（以下、「流調弁」という）１５１〜１５４が設けられている。流調弁１５１〜１５４は、ステッピングモータ１５１ａ〜１５４ａによって駆動され、開放量が制御される。この他、配管１３４ｂには、ガスの流通を遮断するための閉止電磁弁１６１が設けられている。
【００４５】
元ガス電磁弁１４０と、安全弁１４１〜１４４および閉止電磁弁１６１が開放されることにより、ガスバーナ１０１〜１０３とグリルバーナ１０４、１０５にガスが供給される。ステッピングモータ１５１ａ〜１５４ａにより流調弁１５１〜１５４の開放量が調節されることにより、ガスバーナ１０１〜１０３とグリルバーナ１０４、１０５に供給されるガスの量が調節される。グリル部６において、下側のグリルバーナ１０４のみが用いられる場合、閉止電磁弁１６１が閉じられる。こうして、コンロ部４ａ〜４ｃおよびグリル部６において、燃焼動作が行われる。
【００４６】
図４は、本実施の形態に係る、ガスコンロ１の回路ブロック図である。
【００４７】
ガスコンロ１は、図１に示した電源スイッチ１４の他、電池装着部２０と、定電圧回路２０１と、本体制御部２０２と、を備えている。電池装着部２０には、たとえば、２つの乾電池が装着される。装着された電池２０ａの電力を、電源スイッチ１４を介して各部に供給する。定電圧回路２０１は、電池２０ａから供給される電圧Ｖ０をもとに一定電圧Ｖ１を生成する。定電圧回路２０１は、たとえば、ＤＣ−ＤＣコンバータにより構成される。定電圧回路２０１がレギュレータにより構成されてもよい。たとえば、定電圧回路２０１により、３Ｖの一定電圧Ｖ１が生成される。
【００４８】
本体制御部２０２は、たとえば、マイクロコンピュータにより構成される。本体制御部２０２は、内蔵メモリに格納されたプログラムに従って各部を制御する。また、本体制御部２０２は、電池２０ａから供給される電圧Ｖ０と定電圧回路２０１から供給される電圧Ｖ１とを比較して、電池２０ａの電圧を検出する。本体制御部２０２は、電池２０ａの電圧が所定の閾値以下となった場合に、図２（ａ）に示したランプ１１ｃを点灯させる。本体制御部２０２は、定電圧回路２０１により生成される電圧Ｖ１によって駆動される。本体制御部２０２は、本体部２に設置された本体基板２００に配置されている。
【００４９】
さらに、本体基板２００には、点火回路２０３と、元ガス弁回路２０４と、閉止弁回路２０５と、安全弁回路２０６と、流調弁回路２０７と、熱電対回路２０８とが配置されている。点火回路２０３、元ガス弁回路２０４、閉止弁回路２０５および安全弁回路２０６は、それぞれ、本体制御部２０２からの制御に応じて、点火器１１１〜１１４、元ガス電磁弁１４０、閉止電磁弁１６１および安全弁１４１を駆動する。
【００５０】
流調弁回路２０７は、本体制御部２０２からの制御に応じて、ステッピングモータ１５１ａを駆動し、流調弁回路２０７の開放量を変化させる。また、流調弁回路２０７は、ステッピングモータ１５１ａから回転位置に関する信号を受信し、受信した回転位置に関する信号を処理して、本体制御部２０２に送信する。ステッピングモータ１５１ａは、自身の回転位置を検出する構成を備えている。本体制御部２０２は、流調弁回路２０７から受信した回転位置に基づき、ステッピングモータ１５１ａの故障や不具合を検出する。熱電対回路２０８は、熱電対１２１の検出値を取得して、本体制御部２０２に送信する。
【００５１】
なお、安全弁回路２０６、流調弁回路２０７および熱電対回路２０８からなる回路ユニット２２０は、コンロ部４ａ〜４ｃおよびグリル部６ごとに設けられている。便宜上、図４には、コンロ部４ａの回路ユニット２２０のみが図示されている。
【００５２】
本体制御部２０２は、操作パネル１１に配置された第１制御部３０１と、操作パネル１３に配置された第２制御部４０１とに対して、それぞれ、通信可能に接続されている。
【００５３】
図５に示すように、第１制御部３０１は、操作パネル１１に設置された第１基板３００に配置され、第２制御部４０１は、操作パネル１３に設置された第２基板４００に配置されている。
【００５４】
第１基板３００には、第１制御部３０１の他、表示回路３０２と、発光回路３０３と、加速度センサ３０４と、が配置されている。表示回路３０２は、第１制御部３０１からの制御に応じて、表示器３１１を駆動する。表示器３１１は、図２（ａ）に示したディスプレイ１１ｂに情報を表示させるためのものである。ディスプレイ１１ｂごとに表示器３１１が設けられる。発光回路３０３は、第１制御部３０１からの制御に応じて、発光器３１２を駆動する。発光器３１２は、図２（ａ）に示したランプ１１ｃおよび点灯部１１ｄの発光源である。ランプ１１ｃおよび点灯部１１ｄごとに発光器３１２が設けられる。
【００５５】
表示器３１１および発光器３１２も第１基板３００に配置されている。表示器３１１および発光器３１２は、操作パネル１１において所定の情報を表示するための表示部３２０を構成する。
【００５６】
第２基板４００には、第２制御部４０１の他、表示回路４０２と、発光回路４０３と、液晶回路４０４と、加速度センサ４０５と、が配置されている。表示回路４０２は、第２制御部４０１からの制御に応じて、表示器４１１を駆動する。表示器４１１は、図２（ｂ）に示したディスプレイ１３ｂに情報を表示させるためのものである。発光回路４０３は、第２制御部４０１からの制御に応じて、発光器４１２を駆動する。発光器４１２は、図２（ｂ）に示した点灯部１３ｄの発光源である。点灯部１３ｄごとに発光器４１２が設けられる。液晶回路４０４は、第２制御部４０１からの制御に応じて、液晶表示器４１３を駆動する。液晶表示器４１３は、図２（ｂ）に示した液晶ディスプレイ１３ｃに情報を表示させるためのものである。
【００５７】
表示器４１１、発光器４１２および液晶表示器４１３も第２基板４００に配置されている。表示器４１１、発光器４１２および液晶表示器４１３は、操作パネル１３において所定の情報を表示するための表示部４２０を構成する。
【００５８】
第１基板３００の加速度センサ３０４と第２基板４００の加速度センサ４０５は、それぞれ、操作パネル１１、１３の開閉を検出するために用いられる。本実施形態では、加速度センサ３０４、４０５が、さらに、地震発生の検出に共用される。加速度センサ３０４、４０５からの信号に基づく処理については、追って、図６（ａ）〜図７（ｂ）を参照して説明する。
【００５９】
燃焼動作時には、元ガス弁回路２０４により元ガス電磁弁１４０が開放され、さらに、安全弁回路２０６によって、燃焼対象のバーナに対応する安全弁１４１が開放される。燃焼対象のバーナにグリルバーナ１０５が含まれる場合、閉止弁回路２０５により閉止電磁弁１６１が開放される。次いで、点火回路２０３により点火器１１１〜１１４が駆動され、燃焼対象のバーナに着火が行われる。熱電対回路２０８により燃焼対象のバーナの着火が検出されると、点火動作が終了される。さらに、点火ボタン１０ａ〜１０ｃ、１２の回動量に対応するガス量となるように、流調弁回路２０７によって、燃焼対象のバーナに対応するステッピングモータ１５１ａ〜１５４ａが駆動され、ガス量が調節される。こうして、燃焼対象のバーナにおいて、使用者が所望するガス量（燃焼レベル）で燃焼動作が行われる。
【００６０】
続いて、第１基板３００と第２基板４００とにそれぞれ設けられている加速度センサ３０４、４０５に基づく動作ついて説明する。
【００６１】
加速度センサ３０４、４０５は、検出軸としてＸ軸、Ｙ軸、Ｚ軸の３軸を備えており、それぞれの軸方向の加速度を検出する。加速度センサ３０４、４０５は、操作パネル１１、１３の回動位置の検出および地震発生の検出のために共用される。すなわち、本実施形態では、加速度センサ３０４、４０５からに信号に基づいて、所定の震度以上の地震が検知されるとともに、操作パネル１１、１３の開閉状態が検知される。第１制御部３０１および第２制御部４０１は、加速度センサ３０４、４０５からの検出信号を処理して、操作パネル１１、１３の回動角（角α）を取得し、取得した回動角（角α）に基づき、地震の検出と操作パネル１１、１３の開閉を検出する。
【００６２】
まず、加速度センサ３０４、４０５の検出信号に基づいて操作パネル１１、１３の開閉を検出する方法について説明する。ここでは、操作パネル１１に設けられた加速度センサ３０４を用いて操作パネル１１の開閉を検出する方法について説明する。操作パネル１３の開閉についても同様に検出される。
【００６３】
図６（ａ）のグラフは、操作パネル１１が第２の位置（開放位置）から第１の位置（閉塞位置）に移動した場合に、加速度センサ３０４の検出信号に基づき検出される角αの変化を模式的に示している。図６（ａ）のグラフにおいて、横軸は時間であり、縦軸は角αである。
【００６４】
操作パネル１１が第２の状態（図１に示す状態）にある場合、加速度センサ３０４の検出信号に基づいて取得される角αは、α１である。この状態から、時刻ｔ１において、操作パネル１１が後方に押し込まれると、加速度センサ３０４の検出信号により取得される角αは、α１から０へと一様に変化する。その後、時刻ｔ２において、操作パネル１１が第１の状態（閉塞状態）となると、加速度センサ３０４の検出信号から取得される角αは、一定値に維持される。操作パネル１１が、第１の状態から第２の状態へと開放される場合、加速度センサ３０４の検出信号から取得される角αは、上記と逆方向に遷移する。
【００６５】
したがって、加速度センサ３０４の検出信号から取得される角αの波形に基づいて、操作パネル１１の開閉を検出できる。具体的には、加速度センサ３０４の検出信号から取得される角αがα１から減少した後、時間Ｔ１の間一定値（角α＝０）に維持された場合に、操作パネル１１が閉じられたと判定され得る。
【００６６】
図６（ｂ）は、操作パネル１１が閉じられた際に行われる処理を示すフローチャートである。この処理は、第１制御部３０１において行われる。第２制御部４０１においても同様の処理が行われる。
【００６７】
第１制御部３０１は、加速度センサ３０４の検出信号により取得される角αが、α１から減少したか否かを判定する（Ｓ１１）。角αがα１から減少すると（Ｓ１１：ＹＥＳ）、第１制御部３０１は、加速度センサ３０４の検出信号により取得される角αが、Ｔ１時間以上、一定値（α＝０）に維持されたか否かを判定する（Ｓ１２）。加速度センサ３０４の検出信号により取得される角αがＴ１時間以上一定値に維持されると（Ｓ１２；ＹＥＳ）、第１制御部３０１は、操作パネル１１が第１の位置に閉じられたとして、表示部３２０を停止させる（Ｓ１３）。具体的には、第１制御部３０１は、表示回路３０２を制御して、表示器３１１を停止させ、ディスプレイ１１ｂの表示を消す（Ｓ１３）。また、第１制御部３０１は、発光回路３０３を制御して、点灯している点灯部１１ｄを消灯させる。
【００６８】
図６（ｂ）に示した処理により、ディスプレイ１１ｂおよび点灯部１１ｄが動作している状態において、操作パネル１１が第２の位置から第１の位置に閉じられると、表示器３１１を停止され、発光器３１２が消される。これにより、操作パネル１１における無駄な電力消費が抑制される。
【００６９】
操作パネル１３が第２の位置から第１の位置に閉じられた場合も、第２制御部４０１において、図６（ｂ）と同様の処理が行われる。すなわち、第２制御部４０１は、表示回路４０２および発光回路４０３を制御して、表示器４１１を停止させ、発光器４１２を消灯させる。さらに、第２制御部４０１は、液晶回路４０４を制御して、液晶表示器４１３を停止させる。これにより、液晶ディスプレイ１３ｃの表示が消える。これにより、操作パネル１３における無駄な電力消費が抑制される。
【００７０】
次に、加速度センサ３０４、４０５の検出信号により地震を検知する方法について説明する。
【００７１】
図７（ａ）のグラフは、地震が発生した場合に、加速度センサ３０４、４０５の検出信号から取得される角αの変化を模式的に示すグラフである。図７（ａ）のグラフは、横軸が時間、縦軸が角αである。
【００７２】
図７（ａ）に示すように、地震が発生した場合に、加速度センサ３０４、４０５の検出信号から取得される角αは、増減を細かく繰り返す波形となる。この波形は、震度が高くなるに伴い、振幅が大きくなる。したがって、所定時間Ｔ２の間に角αの波形の振動が所定回数検出されたことに基づいて、地震が発生したことが検出され得る。ここで、所定時間Ｔ２は、たとえば、１秒である。
【００７３】
地震の検出において、第１制御部３０１は、図７（ｂ）の処理を実行する。すなわち、第１制御部３０１は、加速度センサ３０４の検出信号から取得された角αが変化した場合に（Ｓ２１：ＹＥＳ）、所定時間Ｔ２の間に、所定振幅以上の振動が所定回数以上角αの波形に生じたか否かを判定する（Ｓ２２）。角αの波形が所定回数以上振動した場合（Ｓ２２：ＹＥＳ）、第１制御部３０１は、地震が発生したと判定し、地震の発生を示す通知を本体制御部２０２に送信する（Ｓ２３）。
【００７４】
第２制御部４０１においても、図７（ｂ）の処理が行われる。第２制御部４０１は、加速度センサ４０５検出信号から取得された角αが、所定時間Ｔ２の間に所定回数以上振動した場合に、地震が発生したと判定し、地震の発生を示す通知を、本体制御部２０２に送信する。
【００７５】
本体制御部２０２は、第１制御部３０１と第２制御部４０１の少なくとも一方から地震発生の通知を受信すると、本体部２の動作を停止させる。具体的には、本体制御部２０２は、元ガス弁回路２０４および安全弁回路２０６を制御して、元ガス電磁弁１４０および安全弁１４１を閉じる。これにより、地震発生時に、火災や、ガス漏れが起こることを防ぐことができる。
【００７６】
なお、図７（ｂ）のステップＳ２２では、所定時間Ｔ２が、１秒という短時間に設定される。所定時間Ｔ２がこのような短い時間に設定される理由は、たとえば、子供がいたずらで操作パネル１１、１３の開閉を繰り返し行った場合や、ユーザが操作パネル１１、１３に誤って接触したために操作パネル１１、１３の開閉が行われた場合等を地震の検出から除外するためである。
【００７７】
＜実施形態の効果＞
本実施形態によれば、以下の効果が奏され得る。
【００７８】
図６（ａ）、（ｂ）に示したように、表示部３２０、４２０（表示器３１１、４１１、発光器３１２、４１２、液晶表示器４１３）が動作している状態で、操作パネル１１、１３が閉じられると、これら表示部３２０、４２０が停止される。これにより、操作パネル１１、１３における無駄な電力消費を抑制でき、ガスコンロ１の消費電力を低減できる。よって、電池２０ａを長持ちさせることができる。
【００７９】
また、図６（ａ）〜図７（ｂ）を参照して説明したように、加速度センサ３０４、４０５は、操作パネル１１、１３の開閉状態の検出と、地震発生の検出とに共用される。これにより、部品点数の削減と構成の簡素化を図ることができる。
【００８０】
また、図７（ｂ）の処理により地震の発生が検知されると、本体制御部２０２により、本体部２の動作が停止される。具体的には、地震の発生に応じて、元ガス電磁弁１４０および安全弁１４１が閉じられる。これにより、ガスコンロ１の安全性を確保することができる。
【００８１】
また、図６（ａ）〜図７（ｂ）を参照して説明したように、加速度センサ３０４、４０５からの検出信号に基づき取得される操作パネル１１、１３の変位の波形（角αの波形）により、操作パネル１１、１３の開閉と地震の発生が区別して検出される。これにより、簡易な処理により、地震の発生と操作部８、９の開閉とを区別することができる。
【００８２】
＜変更例＞
以上、本発明の実施の形態について説明したが、本発明は、上記実施の形態によって何ら制限されるものではなく、また、本発明の実施の形態も、上記以外に種々の変更が可能である。
【００８３】
たとえば、上記実施形態では、操作パネル１１、１３が閉じられたことに応じて、操作パネル１１、１３の表示部３２０、４２０の表示が停止されたが、操作パネル１１、１３が開放されたことに応じて、操作パネル１１、１３の表示部３２０、４２０に所定の表示がなされてもよい。たとえば、操作パネル１１、１３が開放されたことに応じて、点灯部１１ｄが点灯されてもよい。
【００８４】
操作パネル１１、１３が開放される場合、加速度センサ３０４、４０５の検出信号から取得される角度は、図８（ａ）のように変化する。すなわち、操作パネル１１、１３が第１の状態から開放されると、加速度センサ３０４、４０５からの検出信号に基づき取得される角αは、操作パネル１１、１３の開放に伴い、０から一様に増加する。その後、操作パネル１１、１３が第２の状態まで開放されると、角αは一定値（α＝α１）に維持される。したがって、加速度センサ３０４、４０５からの検出信号に基づき取得される角αが、増加した後、α１に接近した場合に、操作パネル１１、１３が開放されたと判定され得る。
【００８５】
図８（ｂ）は、操作パネル１１が開放された際に行われる処理を示すフローチャートである。
【００８６】
第１制御部３０１は、加速度センサ３０４の検出信号から取得される角αが、増加した後（Ｓ３１：ＹＥＳ）、閾値αｔｈを超えた場合に（Ｓ３２：ＹＥＳ）、操作パネル１１が開放されたとして、操作パネル１１の表示を開始させる。たとえば、第１制御部３０１は、発光回路３０３を制御して、点灯部１１ｄを点灯させる（Ｓ３３）。ここで、閾値αｔｈは、α１よりもやや小さい値に設定される。これにより、操作パネル１１が完全に開放される前に、点灯部１１ｄが点灯される。また、ステップＳ３３では、操作キー群１１ａがユーザにより操作された場合とは異なる点灯形態で、全ての点灯部１１ｄが点灯される。これにより、ユーザは、操作キー群１１ａの個々のキーの位置を容易に把握でき、円滑に操作を進めることができる。第２制御部４０１においても、同様に、図８（ｂ）の処理が行われる。
【００８７】
なお、ステップＳ３３において点灯される点灯部１１ｄは、全ての点灯部１１ｄに限られない。たとえば、操作キー群１１ａのうち、ユーザが使用する頻度が高いと予想される操作キー群１１ａのキーの点灯部１１ｄを点灯させてもよい。
【００８８】
また、図６（ｂ）の処理により点灯部１１ｄの点灯が停止された後、操作パネル１１が開放された場合、点灯が停止された点灯部１１ｄのみが再び点灯されてもよい。さらに、点灯部１１ｄのみならず、ディスプレイ１１ｂにも、操作パネル１１の開放に応じて所定の情報が表示されてもよい。
【００８９】
また、上記実施形態では、操作パネル１１が閉じられたことに応じて表示部３２０全体の動作が停止されたが、操作パネル１１が閉じられたことに応じて表示部３２０の一部の動作のみが停止されてもよい。たとえば、表示部３２０のうち、発光器３１２の動作のみが、操作パネル１１が閉じられたことに応じて停止されてもよく、あるいは、表示器３１１の動作のみが、操作パネル１１が閉じられたことに応じて停止されてもよい。
【００９０】
また、上記実施形態では、第１基板３００と第２基板４００にそれぞれ第１制御部３０１と第２制御部４０１が配置されたが、第１制御部３０１および第２制御部４０１が省略され、本体制御部２０２により、操作パネル１１、１３の各回路部が制御されてもよい。この場合、加速度センサ３０４、４０５は、本体制御部２０２に対して検出信号を出力し、本体制御部２０２が、図６（ｂ）、図７（ｂ）および図８（ｂ）の処理を実行する。
【００９１】
また、操作パネル１１に液晶表示器が設けられてもよく、あるいは、操作パネル１１３から液晶表示器４１３が省略されてもよい。表示部３２０、４２０に含まれる表示素子は、適宜変更され得る。また、加速度センサ３０４、４０５は、必ずしも、表示部３２０、４２０が配置された基板に配置されていなくてもよく、操作パネル１１、１３に対して一体的に配置されていればよい。
【００９２】
また、ガスコンロ１の構成は、上記実施形態に示された構成に限られるものではなく、適宜種々の変更が可能である。たとえば、上記実施形態では、ガスコンロ１に３つのコンロ部４ａ、４ｂ、４ｃが設けられたが、ガスコンロ１に設けられるコンロ部の数はいくつであってもよい。操作パネルの数も２つに限られるものではない。
【００９３】
また、上記実施形態および変更例では、加熱調理器の一例として、電池を電源としたガスコンロ１が示されたが、本発明が適用される加熱調理器はこれに限られるものではない。たとえば、ＩＨコンロに本発明が適用されてもよい。
【００９４】
この他、本発明の実施形態は、特許請求の範囲に記載の範囲で適宜変更可能である。
【符号の説明】
【００９５】
１  ガスコンロ（加熱調理器）
２  本体部
８、９  操作部
１１、１３  操作パネル
２０ａ  電池
２０２  本体制御部（制御部）
３０１  第１制御部(制御部)
３１１、４１１  表示器
３１２、４１２  発光器
３２０  表示部
４０１  第２制御部（制御部）
４１３  液晶表示器
４２０  表示部
３０５、４０５  加速度センサ
【図１】
2020085345.tif 000003
【図２】
2020085345.tif 000004
【図３】
2020085345.tif 000005
【図４】
2020085345.tif 000006
【図５】
2020085345.tif 000007
【図６】
2020085345.tif 000008
【図７】
2020085345.tif 000009
【図８】
2020085345.tif 000010